(57)【特許請求の範囲】
【請求項１】
水平面上に配置された回転可能な操作部と、この操作部の回転角度を検出する回転位置検出部と、前記操作部と同一面に固定配置された表示部と、前記回転位置検出部により検出された前記操作部の回転角度に対応させて前記表示部の表示内容の向きを回転させて表示するＬＣＤドライバと、を具備することを特徴とするファクシミリ装置。
【請求項２】
表示部は、操作部が少なくとも４５°回転した時点で表示部での表示文字の向きを電気的に９０°回転して画面表示することを特徴とする請求項１記載のファクシミリ装置。
【請求項３】
操作部を、装置の上面端部にその外周部が前記装置から一部突出して設けたことを特徴とする請求項１又は２記載のファクシミリ装置。
【請求項４】
装置全体を縦型に構成し、前記操作部と前記表示部とを配置する水平面を、装置中央上部に配置し、且つ、前記水平面と各々鈍角に交差する角度で給紙を行う給紙部と排紙部との間に配置したことを特徴とする請求項１乃至請求項３のいずれかに記載のファクシミリ装置。
【発明の詳細な説明】
【０００１】
【発明の属する技術分野】
本発明は、装置の水平面での設置方向に対応して操作部を回転し、かつ、操作に連動して文字、記号等を回転して画面表示するファクシミリ装置に関する。
【０００２】
【従来の技術】
従来、ファクシミリ装置は外観構成上で、その水平面での設置方向が定めて設計されており、装置の前面に立って使用されるようになっている。したがって、電話番号の入力用のテンキー、スタートキー、ストップキー及び機能選択キー有する操作部は、使用者が操作し易い方向、すなわち、操作部の文字の読み取りが容易な方向に固定して配置されている。この場合、装置の向きを設置場所に合わせて自由に変更できないため、設置の自由がなく、不便である。このため、操作部を水平回転し、水平面での設置変更に対応して使用できるファクシミリ装置が提案されている。
【０００３】
例えば、特開平６ー１２４００８号公報「電子写真装置」が知られている。この公報記載の技術は、テンキーや液晶ディスプレイを備えた操作部を回転できるように構成されており、装置を水平面上で変更（回転）して横置きに設置した際に、操作部のテンキーや液晶ディスプレイの文字を、使用者側から正常（左から右方向）に読み取りが出来るようにしている。
【０００４】
【発明が解決しようとする課題】
しかし、上記従来例では構成が複雑化し、しかも操作部のキーや液晶ディスプレイが小さくなって、その操作性が悪化することが考えられる。すなわち、回転する操作部にテンキーとともに液晶ディスプレイ等が搭載されるため、その信号を伝達する回転接点数が多くなって、その構成が複雑化する。
【０００５】
また、回転する操作部にテンキーとともに液晶ディスプレイ等が搭載されるため、特に小型化が進展するファクシミリ装置では、操作部を大きく出来ずに、テンキーとともに液晶ディスプレイとが小型化してしまう。したがって、操作と画面上の文字の読み取りが困難になって、その操作性が悪化することが考えられる。
【０００６】
本発明は、このような従来の技術における課題を解決するものであり、装置をいずれの方向から使用する場合でも、操作部・表示部とも見やすく、操作性のよいファクシミリ装置を提供することを目的とする。
【０００７】
【課題を解決するための手段】
上記課題を達成するために、請求項１記載の発明は、水平面上に配置された回転可能な操作部と、この操作部の回転角度を検出する回転位置検出部と、前記操作部と同一面に固定配置された表示部と、前記回転位置検出部により検出された前記操作部の回転角度に対応させて前記表示部の表示内容の向きを回転させて表示するＬＣＤドライバと、を具備する構成とした。
【０００８】
この構成により、装置をいずれの方向から使用する場合にも、操作パネル・表示部ともオペレータの方向を向くため、操作性が向上する。
【０００９】
また、請求項２記載の発明は、請求項１記載の発明において、表示部は、操作部が少なくとも４５°回転した時点で表示部での表示文字の向きを電気的に９０°回転して画面表示する構成とした。
【００１０】
この構成により、表示方向は４方向であるが、回転操作部３が左右に±４５゜以上回転すると、表示が９０゜回転するため、簡易な制御で使い勝手が良くなる。
【００１１】
また、請求項３記載の発明は、請求項１又は請求項２記載の発明において、操作部を、装置の上面端部にその外周部が前記装置から一部突出して設ける構成とした。
【００１２】
この構成により、操作部を装置側面から回転操作し易くなるため、装置の使い勝手は一層向上する。
【００１３】
また、請求項４記載の発明は、請求項１乃至請求項３のいずれかに記載の発明において、装置全体を縦型に構成し、前記操作部と前記表示部とを配置する水平面を、装置中央上部に配置し、且つ、前記水平面と各々鈍角に交差する角度で給紙を行う給紙部と排紙部との間に配置する構成を採る。
【００１４】
この構成により、操作面を中心に給排紙機構が対象配置されるため、装置をいずれの方向から操作する場合でも、操作性が一層向上する。
【００１５】
【発明の実施の形態】
次に、本発明のファクシミリ装置の実施形態を図面を参照して詳細に説明する。図１は、本発明のファクシミリ装置の回転操作部（後述）が右側に位置するように装置を配置した場合の上面図であり、図２は、図１に示すファクシミリ装置の斜視図である。
【００１６】
図１及び図２において、このファクシミリ装置は、装置の一方側に設けられ、ファクシミリ原稿を挿入して配置する原稿挿入口１を有し、さらに、原稿挿入口１に平行し、かつ、装置の他方側に設けられ、ファクシミリ電文を印字した印字紙を排出する印字紙排出口２を有している。さらに、このファクシミリ装置には、原稿挿入口１と印字紙排出口２との間のパネルの図における右側に設けられ、矢印方向に人の指などで回転し、その９０°ごと（０°，９０°，１８０°，２７０°）の水平方向の位置に設定される回転操作部３が設けられている。また、原稿挿入口１と印字紙排出口２との間のパネルの図における左側に設けられ、回転操作部３で入力した電話番号や選択した機能を画面表示するための液晶ディスプレイ（ＬＣＤ）４が設けられている。回転操作部３は、電話番号などを入力するためのテンキー（０〜９，＊、＃）６と、各種の機能、例えば、短縮番号の設定やポーズ設定を行うための機能選択キー（Ａ，Ｂ，Ｃ）７とを有している。さらに、ファクシミリ送信を停止したり入力データを消去したり等するストップキー８と、ファクシミリ送信をスタートさせるためのスタートキー９とを有している。
【００１７】
図３は、図１における回転操作部３の構成を示す断面図である。図３において、この回転操作部３は、本体外装体１４上に回転自在に配置され、その断面がロの字状の回転筐体１５を有しており、この回転筐体１５の上部にテンキー６、機能選択キー７、ストップキー８及びスタートキー９が配置され、また、これらのキー押圧接点が回路基板１６に設けられている。さらに、この回転操作部３には、回転筐体１５を回転可能に保持する回転保持部材１７が設けられるとともに、この回転保持部材１７と回路基板１６との間に回転接点１８が設けられている。回転保持部材１７はマザーボードなどの回路基板１９上に配置され、かつ、図示しない配線パターンと回転接点１８とが接続されている。
【００１８】
なお、回転保持部材１７には以降の図４に示すように回転操作部３での９０°ごと、すなわち、０°，９０°，１８０°，２７０°の位置を検出するための回転位置検出部が設けられている。
【００１９】
図４は、画面表示を変更するための電気的構成を示すブロック図である。図４において、この例は回転操作部３での９０°ごとの位置を検出する回転位置検出部２５を有し、さらに、図１に示すＬＣＤ４に画面表示するための文字の画像表示データが入力され、回転位置検出部２５の９０°ごとの検出に基づいて、Ｘ方向、Ｙ方向のマトリックス上に表示される文字を回転（０°，９０°，１８０°，２７０°）して画面表示するためのデータを生成して図１中のＬＣＤ４に送出するＬＣＤドライバ２６を有している。
【００２０】
回転位置検出部２５は、図３に示す回転筐体１５の９０°ごとの回転に連動して回転するロータ３０と、このロータ３０の凸部に９０°（０°，９０°，１８０°，２７０°）ごとに当接し、この当接のオン信号をＬＣＤドライバ２６が取り込むためのスイッチＳＷ１，ＳＷ２，ＳＷ３，ＳＷ４とで構成されている。
【００２１】
なお、スイッチＳＷ１〜ＳＷ４は、ロータ３０の凸部の当接でオンになる機械式スイッチや、ロータ３０の凸部が光を遮断してオンになる光スイッチを用いても良い。また、磁気スイッチなどを用いても良い。
【００２２】
次に、この実施の形態の動作及び機能について説明する。
【００２３】
図１から図４において、送信時は原稿挿入口１にファクシミリ原稿を載せ置いて、回転操作部３におけるテンキー７、スタートキー９を操作してファクシミリ送信を行う。この際の回転操作部３におけるキー操作に対応した内容がＬＣＤ４に画面表示される。また、受信時は慣用的なファクシミリ装置と同様に動作して印字紙排出口２から印字紙が出力される。
【００２４】
このような動作にあって、装置の水平面での向きを設置場所に合わせて変更する。図１に示す装置の向き（この状態を０°とする）の場合は、印字紙排出口２が使用者側に対向している。この場合、回転操作部３を９０°ごと回転させて、キーの文字（テンキー７の０〜９，＊、＃の文字、機能選択キー７のＡ，Ｂ，Ｃの文字、ストップキー８のストップの文字、スタートキー９のスタートの文字）が使用者で読み取り易い位置に設定する。
【００２５】
この回転操作部３の回転とともに、図４に示す回転位置検出部２５のロータ３０が回転し、ロータ３０の凸部がスイッチＳＷ１に当接してオンになる。このオンがＬＣＤドライバ２６で取り込まれる。ＬＣＤドライバ２６では、入力される画像表示データの文字をＸ方向、Ｙ方向のドットマトリックス上で表示させる際の文字を回転（ここでは０°の通常位置）し、その表示データを図１に示すＬＣＤ４に送出して、文字表示を行う。
【００２６】
図１の例ではＬＣＤ４に片仮名文字で「スタート」が画面表示され、文字の向きが印字紙排出口２側に位置する使用者側で読み取り（目視）易いように画面表示される。この場合、ＬＣＤ４を回転操作部３の回転に連動させて自由な角度で表示させることもできるが、表示制御が煩雑になるため、回転操作部３が４５゜回転した時点で表示を９０゜回転させるようにするとよい。このようにすれば、表示方向は４方向であるが、回転操作部３が左右に±４５゜以上回転すると、表示が９０゜回転するため、簡易な制御で使い勝手が良くなる。
【００２７】
図５は、回転操作部３が手前側に位置するように装置を配置した場合の上面図である。図５において、この設置状態では、原稿挿入口１、印字紙排出口２が使用者の左右に位置している。この場合も回転操作部３を図１の位置から９０°回転させて、キーの文字が使用者が読み取り易い位置に設定する。
【００２８】
この回転操作部３の回転とともに、図４に示す回転位置検出部２５のロータ３０が９０°回転し、ロータ３０の凸部がスイッチＳＷ２に当接してオンになる。このオン状態がＬＣＤドライバ２６で取り込まれる。ＬＣＤドライバ２６では、入力される画像表示データの文字をＸ方向、Ｙ方向のドットマトリックス上に表示する際に、文字を回転（ここでは９０°の回転位置）し、その表示データを図１に示すＬＣＤ４に送出して、ドットマトリックでの文字表示を行う。この結果、図１に示すようにＬＣＤ４の「スタート」の文字の向きが回転操作部３側に位置する使用者側で容易に読み取りできるように図１に示す例に対して９０°回転して画面表示される。
【００２９】
図６は、回転操作部３が左側に位置するように装置を配置した場合の上面図である。図６において、この設置状態では、原稿挿入口１が使用者と最も近づくように対向している。この場合、回転操作部３を図１の位置から１８０°回転させて、ロータ３０の凸部がスイッチＳＷ３に当接する。この結果、回転操作部３のキーにおける文字、ＬＣＤ４における文字の向きが、原稿挿入口１側に位置する使用者で容易に読み取られるように、図１に示す例に対して１８０°回転して画面表示される。
【００３０】
図７は、回転操作部３が奥側に位置するように装置を配置した場合の上面図である。図７において、この設置状態では、ＬＣＤ４が使用者と最も近づくように対向している。この場合、回転操作部３を図１の位置から２７０°回転させて、ロータ３０の凸部がスイッチＳＷ４に当接する。この結果、回転操作部３のキーにおける文字、ＬＣＤ４における文字の向きが図面下方側に位置する使用者側で容易に読み取りできるように、図１に示す例に対し２７０°回転して画面表示される。
【００３１】
なお、この実施形態では回転操作部３の回転操作に対応してＬＣＤ４の文字を回転している。換言すれば、電気的に文字を回転して画面表示している。これに代えてＬＣＤ４自体を機械的に回転するようにしても良い。この場合、回転操作部３の回転をベルトやギヤなどで伝達してＬＣＤ４自体を機械的に回転するように構成すれば良い。
【００３２】
【発明の効果】
以上の説明から明らかなように、本発明によれば、装置をいずれの方向から使用する場合でも、操作部・表示部とも見やすく、操作性のよいファクシミリ装置を得ることができる。
【００３３】
具体的には、装置をいずれの方向から使用する場合にも、操作パネル・表示部ともオペレータの方向を向くため、操作性が向上する。また、表示方向は４方向であるが、回転操作部３が左右に±４５゜以上回転すると、表示が９０゜回転するため、簡易な制御で使い勝手が良くなる。また、操作部を装置側面から回転操作し易くなるため、装置の使い勝手は一層向上する。また、操作面を中心に給排紙機構が対象配置されるため、装置をいずれの方向から操作する場合でも、操作性が一層向上する。
【図面の簡単な説明】
【図１】本発明のファクシミリ装置の回転操作部が右側に位置するように装置を配置した場合の上面図。
【図２】本発明のファクシミリ装置の外観構成を示す斜視図。
【図３】本発明のファクシミリ装置の回転操作部の構成を示す断面図。
【図４】本発明のファクシミリ装置の画面表示を変更するための電気的構成を示すブロック図。
【図５】本発明のファクシミリ装置の回転操作部が手前側に位置するように装置を配置した場合の上面図。
【図６】本発明のファクシミリ装置の回転操作部が左側に位置するように装置を配置した場合の上面図。
【図７】本発明のファクシミリ装置の回転操作部が奥側に位置するように装置を配置した場合の上面図。
【符号の説明】
１  原稿挿入口
２  印字紙排出口
３  回転操作部
４  液晶ディスプレイ（ＬＣＤ）
７  機能選択キー
８  ストップキー
９  スタートキー
１４  本体外装体
１５  回転筐体
１７  回転保持部材
１８  回転接点
２５  回転位置検出部
２６  ＬＣＤドライバ
３０  ロータ
ＳＷ１〜ＳＷ４  スイッチ
【図１】
0003683377.tif 000002
【図２】
0003683377.tif 000003
【図３】
0003683377.tif 000004
【図４】
0003683377.tif 000005
【図５】
0003683377.tif 000006
【図６】
0003683377.tif 000007
【図７】
0003683377.tif 000008